(57)【要約】【課題】隣り合う外壁材の重なり部分から雨水や風が屋内側に入り込みにくい外壁構造を提供する。【解決手段】ねじ５は第１外壁材１１の第２外壁材１２側の端部に屋外側より通されて壁下地８にねじ込まれる。第２外壁材１２は、第１外壁材１１側の端部に形成されて第１外壁材１１側に開口した切欠１６を備える。切欠１６にねじ５の第１外壁材１１より屋外側に突出した軸部５４が通されて、第２外壁材１２の第１外壁材１１側の端部が、第１外壁材１１の第２外壁材１２側の端部の屋外側に重なる。カバー保持具６は、第２外壁材１２の第１外壁材１１側の端部の屋外側に配される。ねじ５の頭部５３と壁下地８の間に、カバー保持具６、第２外壁材１２、および第１外壁材１１が挟まれる。カバー７がカバー保持具６に保持される。カバー７によりカバー保持具６およびねじ５の頭部５３が覆われる。【選択図】図１
2016156160.tif 000002
【特許請求の範囲】
【請求項１】
壁下地と、
前記壁下地の屋外側の面に沿って並べて配される複数の外壁材と、
ねじと、
カバー保持具と、
カバーとを備え、
前記複数の外壁材は、
第１外壁材と、
前記第１外壁材と並べて配される第２外壁材とを含み、
前記ねじは前記第１外壁材の前記第２外壁材側の端部に屋外側より通されて前記壁下地にねじ込まれ、このねじの頭部は前記第１外壁材より屋外側に離れて位置し、
前記第２外壁材は、
前記第１外壁材側の端部に形成されて前記第１外壁材側に開口した切欠を備え、
前記切欠に前記ねじの前記第１外壁材より屋外側に突出した軸部が通されて、前記第２外壁材の前記第１外壁材側の端部が、前記第１外壁材の前記第２外壁材側の端部の屋外側に重なり、
前記カバー保持具は、屋内外方向に貫通した開口部を備え、
前記カバー保持具は、前記第２外壁材の前記第１外壁材側の端部の屋外側に配され、このカバー保持具の前記開口部に、前記ねじの前記第２外壁材より屋外側に突出した軸部が通されて、前記ねじの頭部と前記壁下地の間に、前記カバー保持具、前記第２外壁材、および前記第１外壁材が挟まれ、
前記カバーが前記カバー保持具に引っ掛けられて保持され、このカバーにより前記カバー保持具および前記ねじの頭部が覆われたことを特徴とする外壁構造。
【請求項２】
壁下地と、
前記壁下地の屋外側の面に沿って並べて配される複数の外壁材と、
第１ねじと、
第１カバー保持具と、
第１カバーと、
第２ねじと、
第２カバー保持具とを備え、
前記壁下地の屋外側の面に沿う一方向を第１方向とし、前記壁下地の屋外側の面に沿いかつ前記第１方向に直交する方向を第２方向とし、
前記複数の外壁材は、
第１外壁材と、
前記第１方向において前記第１外壁材と並べて配される第２外壁材と、
前記第２方向において前記第１外壁材と並べて配される第３外壁材とを含み、
前記第１ねじは前記第１外壁材の前記第２外壁材側の端部に屋外側より通されて前記壁下地にねじ込まれ、この第１ねじの頭部は前記第１外壁材より屋外側に離れて位置し、
前記第２外壁材は、
前記第１外壁材側の端部に形成されて前記第１外壁材側に開口した切欠を備え、
前記切欠に前記第１ねじの前記第１外壁材より屋外側に突出した軸部が通されて、前記第２外壁材の前記第１外壁材側の端部が、前記第１外壁材の前記第２外壁材側の端部の屋外側に重なり、
前記第１カバー保持具は、
屋内外方向に貫通した第１開口部と、
前記第１方向の両側のそれぞれに形成された第１引掛部とを備え、
前記第１カバー保持具は、前記第２外壁材の前記第１外壁材側の端部の屋外側に配され、この第１カバー保持具の第１開口部に、前記第１ねじの前記第２外壁材より屋外側に突出した軸部が通され、
前記第１ねじの頭部と前記壁下地の間に、前記第１カバー保持具、前記第２外壁材、および前記第１外壁材が挟まれ、
前記第１カバーは前記第２方向に延びた部材であり、
前記第１カバーは、前記第１カバー保持具の両側の第１引掛部に引っ掛けられることで、前記第１カバー保持具に保持され、この第１カバーにより前記第１カバー保持具および前記第１ねじの頭部が覆われ、
前記第３外壁材の前記第１外壁材側の端部が、前記第１外壁材の前記第３外壁材側の端部の屋外側に重なり、
前記第２ねじは、屋外側より、前記第３外壁材の前記第１外壁材側の端部、および前記第１外壁材の前記第３外壁材側の端部に通されて前記壁下地にねじ込まれ、この第２ねじの頭部が、前記第３外壁材より屋外側に離れて位置し、
前記第２カバー保持具は、
屋内外方向に貫通した第２開口部と、
前記第２方向の両側のそれぞれに形成された第２引掛部とを備え、
前記第２カバー保持具は、前記第３外壁材の前記第１外壁材側の端部の屋外側に配され、この第２カバー保持具の第２開口部に、前記第２ねじの前記第３外壁材より屋外側に突出した軸部が通され、前記第２ねじの頭部と前記壁下地の間に、前記第２カバー保持具、前記第３外壁材、および前記第１外壁材が挟まれ、
前記第２カバーは前記第１方向に延びた部材であり、
前記第２カバーは、前記第２カバー保持具の両側の第２引掛部に引っ掛けられることで、前記第２カバー保持具に保持され、この第２カバーにより前記第２カバー保持具および前記第２ねじの頭部が覆われ、
前記第１カバーと前記第２カバーのそれぞれの長手方向と直交する断面の形状は、同じであり、
前記第２カバー保持具は、前記第１カバー保持具と同大同形で、前記第２開口部に前記第２ねじの軸部を通した状態でこの軸部を中心に回転可能であることを特徴とする外壁構造。
【発明の詳細な説明】
【技術分野】
【０００１】
本発明は、複数の外壁材が壁下地に沿って並べて設けられた外壁構造に関する。
【背景技術】
【０００２】
特許文献１には、躯体外壁に金属パネルを縦横に取り付けた外壁構造が開示されている。この外壁構造では、金属パネルの上側の折曲部に、上段の金属パネルの下側の折曲部が重ねられており、この重なり部分が止めねじにより躯体外壁に取り付けられている。
【先行技術文献】
【特許文献】
【０００３】
【特許文献１】特開２００２−１０６１４９号公報
【発明の概要】
【発明が解決しようとする課題】
【０００４】
ところで、前記外壁構造では、隣り合う金属パネルの重なり部分から、雨水や風が屋内側に入り込む可能性がある。
【０００５】
本発明は前記事情に鑑みてなされたものであって、隣り合う外壁材の重なり部分から雨水や風が入り込みにくい外壁構造を提供することを課題とする。
【課題を解決するための手段】
【０００６】
前記課題を解決するために本発明の外壁構造は、壁下地と、前記壁下地の屋外側の面に沿って並べて配される複数の外壁材と、ねじと、カバー保持具と、カバーとを備え、前記複数の外壁材は、第１外壁材と、前記第１外壁材と並べて配される第２外壁材とを含み、前記ねじは前記第１外壁材の前記第２外壁材側の端部に屋外側より通されて前記壁下地にねじ込まれ、このねじの頭部は前記第１外壁材より屋外側に離れて位置し、前記第２外壁材は、前記第１外壁材側の端部に形成されて前記第１外壁材側に開口した切欠を備え、前記切欠に前記ねじの前記第１外壁材より屋外側に突出した軸部が通されて、前記第２外壁材の前記第１外壁材側の端部が、前記第１外壁材の前記第２外壁材側の端部の屋外側に重なり、前記カバー保持具は、屋内外方向に貫通した開口部を備え、前記カバー保持具は、前記第２外壁材の前記第１外壁材側の端部の屋外側に配され、このカバー保持具の前記開口部に、前記ねじの前記第２外壁材より屋外側に突出した軸部が通されて、前記ねじの頭部と前記壁下地の間に、前記カバー保持具、前記第２外壁材、および前記第１外壁材が挟まれ、前記カバーが前記カバー保持具に引っ掛けられて保持され、このカバーにより前記カバー保持具および前記ねじの頭部が覆われたことを特徴とする。
【０００７】
また、本発明の外壁構造は、壁下地と、前記壁下地の屋外側の面に沿って並べて配される複数の外壁材と、第１ねじと、第１カバー保持具と、第１カバーと、第２ねじと、第２カバー保持具とを備え、前記壁下地の屋外側の面に沿う一方向を第１方向とし、前記壁下地の屋外側の面に沿いかつ前記第１方向に直交する方向を第２方向とし、前記複数の外壁材は、第１外壁材と、前記第１方向において前記第１外壁材と並べて配される第２外壁材と、前記第２方向において前記第１外壁材と並べて配される第３外壁材とを含み、前記第１ねじは前記第１外壁材の前記第２外壁材側の端部に屋外側より通されて前記壁下地にねじ込まれ、この第１ねじの頭部は前記第１外壁材より屋外側に離れて位置し、前記第２外壁材は、前記第１外壁材側の端部に形成されて前記第１外壁材側に開口した切欠を備え、前記切欠に前記第１ねじの前記第１外壁材より屋外側に突出した軸部が通されて、前記第２外壁材の前記第１外壁材側の端部が、前記第１外壁材の前記第２外壁材側の端部の屋外側に重なり、前記第１カバー保持具は、屋内外方向に貫通した第１開口部と、前記第１方向の両側のそれぞれに形成された第１引掛部とを備え、前記第１カバー保持具は、前記第２外壁材の前記第１外壁材側の端部の屋外側に配され、この第１カバー保持具の第１開口部に、前記第１ねじの前記第２外壁材より屋外側に突出した軸部が通され、前記第１ねじの頭部と前記壁下地の間に、前記第１カバー保持具、前記第２外壁材、および前記第１外壁材が挟まれ、前記第１カバーは前記第２方向に延びた部材であり、前記第１カバーは、前記第１カバー保持具の両側の第１引掛部に引っ掛けられることで、前記第１カバー保持具に保持され、この第１カバーにより前記第１カバー保持具および前記第１ねじの頭部が覆われ、前記第３外壁材の前記第１外壁材側の端部が、前記第１外壁材の前記第３外壁材側の端部の屋外側に重なり、前記第２ねじは、屋外側より、前記第３外壁材の前記第１外壁材側の端部、および前記第１外壁材の前記第３外壁材側の端部に通されて前記壁下地にねじ込まれ、この第２ねじの頭部が、前記第３外壁材より屋外側に離れて位置し、前記第２カバー保持具は、屋内外方向に貫通した第２開口部と、前記第２方向の両側のそれぞれに形成された第２引掛部とを備え、前記第２カバー保持具は、前記第３外壁材の前記第１外壁材側の端部の屋外側に配され、この第２カバー保持具の第２開口部に、前記第２ねじの前記第３外壁材より屋外側に突出した軸部が通され、前記第２ねじの頭部と前記壁下地の間に、前記第２カバー保持具、前記第３外壁材、および前記第１外壁材が挟まれ、前記第２カバーは前記第１方向に延びた部材であり、前記第２カバーは、前記第２カバー保持具の両側の第２引掛部に引っ掛けられることで、前記第２カバー保持具に保持され、この第２カバーにより前記第２カバー保持具および前記第２ねじの頭部が覆われ、前記第１カバーと前記第２カバーのそれぞれの長手方向と直交する断面の形状は、同じであり、前記第２カバー保持具は、前記第１カバー保持具と同大同形で、前記第２開口部に前記第２ねじの軸部を通した状態でこの軸部を中心に回転可能であることを特徴とする。
【発明の効果】
【０００８】
本発明に係る外壁構造は、カバーにより第１外壁材と第２外壁材の重なり部分を覆って、雨水や風が屋内側に入り込むことが抑制される。また、カバー保持具は、第１外壁材および第２外壁材の壁下地への取付けに用いられるねじを利用して壁下地側に固定でき、施工性がよい。
【図面の簡単な説明】
【０００９】
【図１】図１は、本発明の実施形態の外壁構造を左右方向と直交する断面で示した断面図である。
【図２】図２は、前記外壁構造の正面図である。
【図３】図３は、前記外壁構造に用いられる外壁材の正面図である。
【図４】図４は、上下方向に並ぶ前記外壁材の重なり部分を示した正面図である。
【図５】図５は、上段の外壁材の施工時の様子を示した説明図である。
【図６】図６は、前記外壁構造に用いられるカバー保持具の斜視図である。
【図７】図７は、前記外壁構造に用いられるカバーの斜視図である。
【発明を実施するための形態】
【００１０】
以下、添付図面に基づいて本発明の実施形態について説明する。図１は、本実施形態の外壁構造の縦断面図である。図２は、本実施形態の外壁構造の正面図である。なお、本実施形態の外壁構造で用いられる外壁材１は、壁下地８に縦横に並べられて矩形状の壁を構成するが、図２では説明のために、一部の外壁材１、ねじ５、カバー保持具６、およびカバー７の図示を省略している。
【００１１】
本実施形態の外壁構造は、壁下地８と、壁下地８の屋外側の面である設置面８０に沿って並べて配される複数の外壁材１と、これら外壁材１を壁下地８に取り付けるために用いられる複数のねじ５とを備えている。さらに、この外壁構造は、ねじ５によって外壁材１と共に壁下地８に取り付けられる複数のカバー保持具６と、カバー保持具６によって保持される複数のカバー７とを備えている。
【００１２】
図１に示す壁下地８は、耐火性および断熱性を有する石膏ボードである。壁下地８は建物躯体８１に固定される。なお、壁下地８は、合板などのその他の板状部材の他、柱や胴縁などであってもよい。
【００１３】
壁下地８の設置面８０は、屋内外方向に直交した平面状である。壁下地８の屋外側には、図２に示すように、複数の外壁材１が設置面８０に沿って並べて配されている。
【００１４】
各外壁材１は同大同形の平板状に形成されており、鋼板から形成されている。具体的に各外壁材１は、薄鋼板をプレス加工することで得られる。なお、本実施形態の外壁材１は平板状（シート状）であるため、複数枚重ねても嵩張りにくい。このため、運搬性に優れている。また、本実施形態の各外壁材１は、鋼板をプレス加工するだけで製造される。このため、外壁材１の製造にあたってロール成形機のような大型の製造設備を用いる必要がなく、製造コストを削減できる。
【００１５】
図３に示すように各外壁材１は正面視矩形状に形成されている。本実施形態の各外壁材１は、上下寸法が６６０ｍｍ、左右寸法が１５５０ｍｍの横長の矩形状に形成されている。各外壁材１の厚さは、０．３５ｍｍ以上〜０．６ｍｍ以下である。なお、各外壁材１の大きさや厚さは制限されない。また、外壁材１の材質は、鉄やアルミニウムなどの金属であってもよいし、合成樹脂であってもよい。また、各外壁材１の表面には、エンボス加工などによる模様を設けて意匠性を高めてもよい。
【００１６】
ここで、図２に示すように、壁下地８の設置面８０に沿う一方向を第１方向Ｄ１とし、壁下地８の設置面８０に沿いかつ第１方向Ｄ１と直交する方向を第２方向Ｄ２とする。
【００１７】
外壁材１は、第１方向Ｄ１と第２方向Ｄ２に複数並べて設けられる。本実施形態の第１方向Ｄ１は上下方向であり、第２方向Ｄ２は左右方向である。すなわち、本実施形態では、上下方向に並ぶ複数の外壁材１で構成された外壁材列３０が、左右方向に複数列設けられる。
【００１８】
複数の外壁材列３０は、左右方向の一方側に位置する外壁材列３０から他方側に向かって順番に壁下地８に取り付けられる。また、各外壁材列３０を構成する複数の外壁材１は、上下方向の一方側に位置する外壁材１から他方側に向かって順番に壁下地８に取り付けられる。
【００１９】
具体的に複数の外壁材列３０は左側に位置する外壁材列３０から右側に向かって順番に壁下地８に取り付けられ、各外壁材列３０を構成する複数の外壁材１は、下側に位置する外壁材１から上側に向かって順番に壁下地８に取り付けられる。
【００２０】
以下、必要に応じて、上下方向に並ぶ２枚の外壁材１のうち、先に壁下地８に取り付けられる一方の外壁材１（下側の外壁材１）を第１外壁材１１と記載し、後に壁下地８に取り付けられる他方の外壁材１（上側の外壁材１）を第２外壁材１２と記載する。また、第１外壁材１１と左右方向に並び第２外壁材１２の後に壁下地８に取り付けられる外壁材１を、第３外壁材１３と記載する。また、第２外壁材１２と左右方向に並びかつ第３外壁材１３と上下方向に並び、第３外壁材１３の後に壁下地８に取り付けられる外壁材１を第４外壁材１４と記載する。なお、図２では代表して、中央に位置する４枚の外壁材１に、第１〜第４外壁材を示す符号１１〜１４を付している。
【００２１】
各外壁材１は、図３に示すように、複数のねじ挿通孔１５と、複数の切欠１６とを備えている。各ねじ挿通孔１５および各切欠１６は、プレス加工により形成される。
【００２２】
前記複数のねじ挿通孔１５は、各外壁材１の上端部に形成された複数の第１ねじ挿通孔２１と、各外壁材１の左右両端部のそれぞれに形成された第２ねじ挿通孔２２を含んでいる。
【００２３】
すなわち、第１外壁材１１の第２外壁材１２側の端部、第２外壁材１２の第１外壁材１１とは反対側の端部、第３外壁材１３の第４外壁材１４側の端部、第４外壁材１４の第３外壁材１３とは反対側の端部のそれぞれには、複数の第１ねじ挿通孔２１が形成され、第１〜第４外壁材１１〜１４の左右両側の端部のそれぞれには、第２ねじ挿通孔２２が形成されている。
【００２４】
第１ねじ挿通孔２１と第２ねじ挿通孔２２は、直径が同じ円形の孔であって、外壁材１を屋内外方向に貫通している。
【００２５】
各外壁材１の上端部に形成された複数の第１ねじ挿通孔２１は、左右方向に並んでいる。各外壁材１の左右両端部のそれぞれに形成された第２ねじ挿通孔２２は、当該外壁材１の上下方向の中央部に形成されている。
【００２６】
各外壁材１の左側端部に形成された第１ねじ挿通孔２１は、当該外壁材１の左端の第２ねじ挿通孔２２と左右方向において同じ位置に形成されている。各外壁材１の右側端部に形成された第１ねじ挿通孔２１は、当該外壁材１の右端の第２ねじ挿通孔２２と左右方向において同じ位置に形成されている。
【００２７】
各外壁材１の下端部には、複数の切欠１６が左右方向に並べて形成されている。
【００２８】
すなわち、第１外壁材１１の第２外壁材１２とは反対側の端部、第２外壁材１２の第１外壁材１１側の端部、第３外壁材１３の第４外壁材１４と反対側の端部、および第４外壁材１４の第３外壁材１３側の端部のそれぞれには、複数の切欠１６が形成されている。
【００２９】
各外壁材１の切欠１６は、当該外壁材１の各第１ねじ挿通孔２１と左右方向において同じ位置に形成されている。
【００３０】
各切欠１６は当該外壁材１を屋内外方向に貫通している。各切欠１６は、下方に向かって開口している。すなわち、第１外壁材１１の切欠１６は、第２外壁材１２とは反対側に向かって開口し、第２外壁材１２の切欠１６は、第１外壁材１１側に向かって開口し、第３外壁材１３の切欠１６は、第４外壁材１４とは反対側に向かって開口し、第４外壁材１４の切欠１６は、第３外壁材１３側に向かって開口している。
【００３１】
前記複数の外壁材１のうち、下方に他の外壁材１が設けられる外壁材１の下端部は、図１に示すように、下段の外壁材１の上端部の屋外側に重ねて配される。すなわち、第２外壁材１２の第１外壁材１１側の端部は、第１外壁材１１の第２外壁材１２側の端部の屋外側に重なり、第４外壁材１４の第２外壁材１２側の端部は、第２外壁材１２の第４外壁材１４側の端部の屋外側に重なる。
【００３２】
複数の外壁材１のうち、左方に他の外壁材１が設けられる外壁材１の左側端部は、図２に示すように左側の外壁材１の右側端部の屋外側に重ねて配される。すなわち、第３外壁材１３の第１外壁材１１側の端部は、第１外壁材１１の第３外壁材１１側の端部の屋外側に重なり、第４外壁材１４の第２外壁材１２側の端部は、第２外壁材１２の第４外壁材１４側の端部に重なる。
【００３３】
前記複数のねじ５は、複数の第１ねじ５１と複数の第２ねじ５２を含んでいる。第１ねじ５１と第２ねじ５２は同大同形であり、兼用できる。
【００３４】
図１に示すように、第１ねじ５１は、各外壁材１のそれぞれの第１ねじ挿通孔２１に屋外側から通されて壁下地８にねじ込まれている。
【００３５】
すなわち、第１ねじ５１は、第１外壁材１１の第２外壁材１２側の端部、第２外壁材１２の第１外壁材１１とは反対側の端部、第３外壁材１３の第４外壁材１４側の端部、および、第４外壁材１４の第３外壁材１３とは反対側の端部のそれぞれに、屋外側より通されて壁下地８にねじ込まれている。
【００３６】
また、図２に示すように、第１ねじ５１は、各外壁材列３０の最下段の外壁材１のそれぞれの切欠１６にも屋外側から通されて壁下地８にねじ込まれている。
【００３７】
第２ねじ５２は、各外壁材１の各第２ねじ挿通孔２２のそれぞれに屋外側から通されて壁下地８にねじ込まれている。
【００３８】
ここで、複数の外壁材列３０のうち最初に壁下地８に取り付けられる外壁材列３０（図２において最も左側に位置する外壁材列３０）を第１列３１とすると、第１列３１の最下段の外壁材１の切欠１６のうち、右端の切欠１６を除く切欠１６に通された第１ねじ５１は、頭部５３が当該外壁材１の屋外側の面に当たるまで壁下地８にねじ込まれている。当該外壁材１の下端部は、これら第１ねじ５１の頭部５３と壁下地８の間に挟まれて固定されている。また、この外壁材１に通されたその他の第１ねじ５１（すなわち、右端の切欠１６に通された第１ねじ５１、および各第１ねじ挿通孔２１に通された第１ねじ５１）は、頭部５３が当該外壁材１の屋外側の面より屋外側に離れて位置している。また、当該外壁材１の左側の第２ねじ挿通孔２２に通された第２ねじ５２（後述の第２カバー保持具６２が取り付けられる第２ねじ５２）は、頭部５３が当該外壁材１の屋外側の面より屋外側に離れて位置している。
【００３９】
図４に示すように、第１列３１の下から２段目の外壁材１の各切欠１６には、下段の外壁材１の対応する第１ねじ挿通孔２１に通した第１ねじ５１の軸部５４（図１参照）が通されている。詳しくは、当該切欠１６には、当該第１ねじ５１の軸部５４において、当該下段の外壁材１より屋外側に突出した部分が通されている。
【００４０】
また、この第１列３１の下から２段目の外壁材１の各第１ねじ挿通孔２１に通された第１ねじ５１は、図１に示すように頭部５３が当該外壁材１の屋外側の面より屋外側に離れて位置している。また、当該外壁材１の左側の第２ねじ挿通孔２２に通された第２ねじ５２（後述の第２カバー保持具６２が取り付けられる第２ねじ５２）も、頭部５３が当該外壁材１の屋外側の面より屋外側に離れて位置している。
【００４１】
第１列３１の最下段の外壁材１、およびこの上段の外壁材１は、例えば以下のように壁下地８に取り付けられる。まず、作業者は、当該最下段の外壁材１を壁下地８の設置面８０に沿わせ、この外壁材１の各切欠１６および各第１ねじ挿通孔２１に屋外側から第１ねじ５１を通し、これら第１ねじ５１を壁下地８にねじ込む。これにより、これら第１ねじ５１の頭部５３と壁下地８の間に最下段の外壁材１が挟まれて固定される。ただし、このとき各切欠１６（右端の切欠１６を除く）に通した第１ねじ５１は本締めするが、その他の第１ねじ５１は仮締めにより頭部５３が最下段の外壁材１よりも屋外側に離れる。また、作業者は当該最下段の外壁材１の左側の第２ねじ挿通孔２２に、屋外側から第２ねじ５２を通し、この第２ねじ５２を壁下地８にねじ込む。ただし、この第２ねじ５２は、前記他の第１ねじ５１と同様に、仮締めにより頭部５３が最下段の外壁材１よりも屋外側に離れる。
【００４２】
次に作業者は、図５に示すように、上段の外壁材１を壁下地８の設置面８０に沿って下方に移動し、当該上段の外壁材１の各切欠１６に、下段の外壁材１の上端部に通した第１ねじ５１の軸部５４（詳しくは当該軸部５４において下段の外壁材１よりも屋外側に突出した部分）を挿入する。これにより、当該上段の外壁材１は最下段の外壁材１の上端部に通した第１ねじ５１の軸部５４により支持される。
【００４３】
次に作業者は、当該上段の外壁材１の各第１ねじ挿通孔２１に屋外側から第１ねじ５１を通し、これら第１ねじ５１を壁下地８にねじ込む。なお、これら第１ねじ５１は仮締めにより頭部５３が当該上段の外壁材１よりも屋外側に離れる。また、作業者は当該上段の外壁材１の左側の第２ねじ挿通孔２２に、屋外側から第２ねじ５２を通し、この第２ねじ５２を壁下地８にねじ込む。この第２ねじ５２も仮締めにより頭部５３が当該上段の外壁材１よりも屋外側に離れる。
【００４４】
図２に示す第１列３１の下から２段目よりも上段の外壁材１も、第１列３１の下から２段目の外壁材１と同様に壁下地８に取り付けられる。
【００４５】
第１列３１よりも右側に位置する各外壁材列３０の各外壁材１も、左隣りの対応する外壁材１と同様、壁下地８に取り付けられる。ただし、当該外壁材１の左端の切欠１６には、左隣りの外壁材１の右端の切欠１６に通した第１ねじ５１の軸部５４が通される。また、当該外壁材１の左側の第２ねじ挿通孔２２に通した第２ねじ５２は、左隣りの外壁材１の右側の第２ねじ挿通孔２２を通して壁下地８にねじ込まれる。
【００４６】
前記複数のカバー保持具６は、複数の第１カバー保持具６１と、複数の第２カバー保持具６２を含んでいる。
【００４７】
第１カバー保持具６１を図６に示す。各第１カバー保持具６１は、例えば鋼板を曲げ加工することで形成される。なお、第１カバー保持具６１の材質は、鉄やアルミニウムなどの金属であってもよいし、合成樹脂であってもよい。
【００４８】
各第１カバー保持具６１は、上下対称形状である。各第１カバー保持具６１は、外壁材１の屋外側の面に沿う第１縦片部６３と、第１縦片部６３の上下両端部のそれぞれから屋外側に突出した第１引掛部６４とを備えている。
【００４９】
第１縦片部６３は矩形状に形成されており、第１縦片部６３の中央部には、屋内外方向に貫通した開口部６５が形成されている。以下、この開口部６５を第１開口部６５と記載する。
【００５０】
本実施形態の第１開口部６５は、だるま孔で構成されており、第１大孔部６７と、第１大孔部６７に連続した第１小孔部６８とで構成されている。
【００５１】
第１大孔部６７は、第１ねじ５１の頭部５３よりも大きな孔である。第１小孔部６８は第１ねじ５１の頭部５３よりも小さくかつ第１ねじ５１の軸部５４よりも大きい孔である。第１小孔部６８は第１大孔部６７の側方に位置し、第１大孔部６７の上下方向の中間部に繋がっている。
【００５２】
各第１カバー保持具６１の両側の第１引掛部６４は、屋内外方向における中間部が上下方向における外側に向かって突出するようにＬ字状に屈曲している。
【００５３】
図２に示すように、各第１カバー保持具６１は、各外壁材列３０の最下段の外壁材１を除く外壁材１の下端部の屋外側に、左右方向に並べて配されている。各第１カバー保持具６１は、図１に示すように第１開口部６５の縁部が対応する第１ねじ５１の頭部５３の屋内側に引っ掛けられており、これにより第１ねじ５１に取り付けられている。本実施形態では各外壁材１に形成された複数の切欠１６のうち、一部の切欠１６に通した第１ねじ５１にのみ第１カバー保持具６１が取り付けられている。
【００５４】
各第１カバー保持具６１の取り付けは、外壁材１の屋外側から行われる。具体的に作業者は、まず第１カバー保持具６１の第１縦片部６３を外壁材１の下端部の屋外側の面に沿わせ、これにより当該外壁材１の下端部より屋外側に突出した第１ねじ５１の頭部５３を、第１大孔部６７を通して第１縦片部６３の屋外側に位置させる。このとき、第１カバー保持具６１は、第１大孔部６７に通された第１ねじ５１の軸部５４を中心に回転可能である。
【００５５】
次に作業者は、第１カバー保持具６１を、両第１引掛部６４が上下に位置するように、第１大孔部６７に通した第１ねじ５１の軸部５４を中心に回転する。なお、第１カバー保持具６１の両第１引掛部６４が既に上下に位置していれば、前記第１カバー保持具６１の回転は不要である。
【００５６】
次に作業者は、第１カバー保持具６１を左右方向に移動し、当該第１ねじ５１の軸部５４を第１小孔部６８に移動する。これにより、当該第１ねじ５１の頭部５３の屋内側に、第１カバー保持具６１の第１縦片部６３（詳しくは第１小孔部６８の縁部）が掛止される。この後、作業者は、当該第１ねじ５１を壁下地８にねじ込んで本締めする。これにより、当該第１ねじ５１の頭部５３と、壁下地８の間に、第１カバー保持具６１の第１縦片部６３、当該外壁材１の下端部、および下段の外壁材１の上端部が挟まれて固定される。
【００５７】
各第２カバー保持具６２は、第１カバー保持具６１と同じ材質で同大同形の部材であり、第１カバー保持具６１として兼用できる。
【００５８】
以下では第２カバー保持具６２において第１カバー保持具６１に対応する構成には、第１カバー保持具６１の説明で用いた符号と同じ符号を付す。
【００５９】
各第２カバー保持具６２は、図６に示すように左右対称形状である。各第２カバー保持具６２は、第１縦片部６３に対応する第２縦片部６３と、第２縦片部６３の左右両端部のそれぞれに形成され、第１引掛部６４に対応する第２引掛部６４とを備えている。第２縦片部６３には、第１開口部６５に対応する第２開口部６５が形成されている。
【００６０】
第２開口部６５は、第１大孔部６７に対応する第２大孔部６７と、第１小孔部６８に対応する第２小孔部６８を備えている。第２小孔部６８は第２大孔部６７の上方に位置し、第２大孔部６７の左右方向の中間部に繋がっている。
【００６１】
図２に示すように、各第２カバー保持具６２は、各外壁材１の左側端部に配されている。同じ外壁材列３０に属する外壁材１の左側端部の屋外側に配された第２カバー保持具６２は、上下方向に並んでいる。
【００６２】
各第２カバー保持具６２は、第２開口部６５の縁部が対応する第２ねじ５２の頭部５３の屋内側に引っ掛けられており、これにより第２ねじ５２に取り付けられている。
【００６３】
各第２カバー保持具６２の取り付けは、第１カバー保持具６１と同様、外壁材１の屋外側から行われる。すなわち、作業者は、まず第２カバー保持具６２の第２縦片部６３を外壁材１の左側端部の屋外側の面に沿わせ、これにより当該外壁材１の左側端部より屋外側に突出した第２ねじ５２の頭部５３を、第２大孔部６７を通して第２縦片部６３の屋外側に位置させる。このとき、第２カバー保持具６２は、第２大孔部６７に通された第２ねじ５２の軸部５４を中心に回転可能である。
【００６４】
次に作業者は、第２カバー保持具６２を、両第２引掛部６４が左右に位置しかつ第２小孔部６８が第２大孔部６７の上側に位置するように、第２大孔部６７に通した第２ねじ５２の軸部５４を中心に回転する。なお、第２カバー保持具６２の両第２引掛部６４が既に左右に位置し第２小孔部６８が第２大孔部６７の上側に位置していれば、前記第２カバー保持具６２の回転は不要である。
【００６５】
次に作業者は、第２カバー保持具６２を下方に移動し、当該第２ねじ５２の軸部５４を第２小孔部６８に移動する。これにより、当該第２ねじ５２の頭部５３の屋内側に、第２カバー保持具６２の第２縦片部６３（詳しくは第２小孔部６８の縁部）が掛止される。この後、作業者は、当該第２ねじ５２を壁下地８にねじ込んで本締めする。これにより、当該第２ねじ５２の頭部５３と、壁下地８の間に、第２カバー保持具６２の第２縦片部６３、当該外壁材１の左側端部、および左隣りの外壁材１の右側端部が挟まれて固定される。
【００６６】
また、カバー保持具６が取り付けられていないその他のねじ５は、本締めされ、当該ねじ５の頭部５３が最も屋外側に位置する外壁材１の屋外側の面に当たる。これにより、当該ねじ５の頭部５３と壁下地８の間に位置する外壁材１が挟まれて固定される。
【００６７】
複数のカバー７は、第１カバー７１と第２カバー７２を含んでいる。第１カバー７１は、第１カバー保持具６１に取り付けられ、第２カバー７２は第２カバー保持具６２に取り付けられている。
【００６８】
各第１カバー７１は、図７に示すように左右方向に延びた長形の部材である。各第１カバー７１の長手方向と直交する断面の形状は、長手方向に亘って同じである。各第１カバー７１は、例えば鋼板を曲げ加工することで形成される。なお、第１カバー７１の材質は、鉄やアルミニウムなどの金属であってもよいし、合成樹脂であってもよい。
【００６９】
各第１カバー７１は、左右方向に長い矩形板状の第１カバー部７３と、第１カバー部７３の上下両端部のそれぞれから屋内側に突出した第１掛止部７４とを備えている。
【００７０】
各第１カバー７１の両側の第１掛止部７４は、屋内外方向における中間部が上下方向における外側に向かって突出するようにＬ字状に屈曲している。
【００７１】
図２に示すように、第１カバー７１は、各外壁材列３０の最下段の外壁材１を除く外壁材１の下端部の屋外側に配されている。各第１カバー７１は外壁材１毎に設けられており、対応する外壁材１の左右方向の略全長に亘っている。
【００７２】
各第１カバー７１は、図１に示すように、対応する外壁材１の下端部に左右方向に並べて設けられた複数の第１カバー保持具６１に屋外側から被せ付けられる。各第１カバー７１の上下両側の第１掛止部７４は、対応するカバー保持具６の上下の第１引掛部６４のそれぞれに掛止される。このように取り付けられた各第１カバー７１は、対応する第１カバー保持具６１、対応する第１ねじ５１のそれぞれの屋外側を覆う。
【００７３】
各第２カバー７２は、上下方向に延びた長形の部材であり、その材質は第１カバー７１と同じである。本実施形態の各第２カバー７２は、その長手方向と直交する断面の形状が、第１カバー７１の長手方向と直交する断面の形状と同じである。
【００７４】
以下では第２カバー７２において第１カバー７１に対応する構成には、第１カバー７１の説明で用いた符号と同じ符号を付す。
【００７５】
各第２カバー７２は、第１カバー部７３に対応する第２カバー部７３と、第２カバー部７３の左右両端部のそれぞれに形成され、第１掛止部７４に対応する第２掛止部７４とを備えている。
【００７６】
各第２カバー７２の両側の第２掛止部７４は、屋内外方向における中間部が左右方向における外側に向かって突出するようにＬ字状に屈曲している。
【００７７】
第２カバー７２は、各外壁材列３０の左側端部の屋外側に配されている。各第２カバー７２は外壁材列３０毎に設けられており、上下に並ぶ複数の外壁材１に跨っている。各第２カバー７２は対応する外壁材列３０の上下方向の全長に亘っている。
【００７８】
各第２カバー７２は、対応する外壁材列３０の左側端部に上下方向に並べて設けられた複数の第２カバー保持具６２に屋外側から被せ付けられる。各第２カバー７２の左右両側の第２掛止部７４は、対応するカバー保持具６の左右の第２引掛部６４のそれぞれに掛止される。このように取り付けられた各第２カバー７２は、対応する第２カバー保持具６２、対応する第２ねじ５２のそれぞれの屋外側を覆う。
【００７９】
本実施形態の第１カバー７１は、第１カバー保持具６１に対して着脱可能に掛止され、第２カバー７２は、第２カバー保持具６２に対して着脱可能に掛止されている。このため、第１カバー７１と第２カバー７２の交換は、容易である。
【００８０】
各第１カバー７１の左側の端面は、対応する第２カバー７２の右側面に接している。また、各第１カバー７１の右側の端面は、対応する第２カバー７２の左側面に接している。すなわち、各第１カバー７１は、隣り合う第２カバー７２の間の全長に亘って設けられている。なお、第２カバー７２は第１カバー７１よりも先に施工されてもよいし、第１カバー７１よりも後に施工されてもよい。
【００８１】
以上説明した本実施形態の外壁構造は、以下の特徴を有している。外壁構造は、壁下地８と、壁下地８の屋外側の面に沿って並べて配される複数の外壁材１と、ねじ５と、カバー保持具６と、カバー７とを備える。複数の外壁材１は、第１外壁材１１と、第１外壁材１１と並べて配される第２外壁材１２とを含む。ねじ５は第１外壁材１１の第２外壁材１２側の端部に屋外側より通されて壁下地８にねじ込まれる。ねじ５の頭部５３は第１外壁材１１より屋外側に離れて位置する。第２外壁材１２は、第１外壁材１１側の端部に形成されて第１外壁材１１側に開口した切欠１６を備える。切欠１６にねじ５の第１外壁材１１より屋外側に突出した軸部５４が通されて、第２外壁材１２の第１外壁材１１側の端部が、第１外壁材１１の第２外壁材１２側の端部の屋外側に重なる。カバー保持具６は、屋内外方向に貫通した開口部６５を備える。カバー保持具６は、第２外壁材１２の第１外壁材１１側の端部の屋外側に配される。カバー保持具６の開口部６５に、ねじ５の第２外壁材１２より屋外側に突出した軸部５４が通されて、ねじ５の頭部５３と壁下地８の間に、カバー保持具６、第２外壁材１２、および第１外壁材１１が挟まれる。カバー７がカバー保持具６に引っ掛けられて保持される。カバー７によりカバー保持具６およびねじ５の頭部５３が覆われる。
【００８２】
この特徴を有する外壁構造では、カバー７により第１外壁材１１と第２外壁材１２の重なり部分を覆って、雨水や風が屋内側に入り込むことが抑制される。また、第２外壁材１２を壁下地８に取り付けるときには、第１外壁材１１を通して壁下地８にねじ込まれたねじ５の軸部５４を第２外壁材１２の切欠１６に通すことで、第２外壁材１２をねじ５の軸部５４に対して位置決めすることができ、施工が容易になる。また、カバー保持具６は、第１外壁材１１および第２外壁材１２を壁下地８に取り付けるために用いられるねじ５を利用して壁下地８側に固定でき、施工性がよい。また、カバー７によりカバー保持具６およびねじ５の頭部５３が覆われるため、外観のよい外壁構造にできる。
【００８３】
また、本実施形態の外壁構造は、以下の特徴を有している。外壁構造は、壁下地８と、壁下地８の屋外側の面に沿って並べて配される複数の外壁材１と、第１ねじ５１と、第１カバー保持具６１と、第１カバー７１と、第２ねじ５２と、第２カバー保持具６２とを備える。壁下地８の屋外側の面に沿う一方向を第１方向Ｄ１とし、壁下地８の屋外側の面に沿いかつ前記第１方向Ｄ１に直交する方向を第２方向Ｄ２とする。複数の外壁材１は、第１外壁材１１と、第１方向Ｄ１において第１外壁材１１と並べて配される第２外壁材１２と、第２方向Ｄ２において第１外壁材１１と並べて配される第３外壁材１３とを含む。第１ねじ５１は第１外壁材１１の第２外壁材１２側の端部に屋外側より通されて壁下地８にねじ込まれる。第１ねじ５１の頭部５３は第１外壁材１１より屋外側に離れて位置する。第２外壁材１２は、第１外壁材１１側の端部に形成されて前記第１外壁材１１側に開口した切欠１６を備える。切欠１６に第１ねじ５１の第１外壁材１１より屋外側に突出した軸部５４が通されて、第２外壁材１２の第１外壁材１１側の端部が、第１外壁材１１の第２外壁材１２側の端部の屋外側に重なる。第１カバー保持具６１は、屋内外方向に貫通した第１開口部６５と、第１方向Ｄ１の両側のそれぞれに形成された第１引掛部６４とを備える。第１カバー保持具６１は、第２外壁材１２の第１外壁材１１側の端部の屋外側に配される。第１カバー保持具６１の第１開口部６５に、第１ねじ５１の第２外壁材１２より屋外側に突出した軸部５４が通される。第１ねじ５１の頭部５３と壁下地８の間に、第１カバー保持具６１、第２外壁材１２、および第１外壁材１１が挟まれる。第１カバー７１は第２方向Ｄ２に延びた部材である。第１カバー７１は、第１カバー保持具６１の両側の第１引掛部６４に引っ掛けられることで、第１カバー保持具６１に保持される。第１カバー７１により第１カバー保持具６１および第１ねじ５１の頭部５３が覆われる。第３外壁材１３の第１外壁材１１側の端部が、第１外壁材１１の第３外壁材１３側の端部の屋外側に重なる。第２ねじ５２は、屋外側より、第３外壁材１３の第１外壁材１１側の端部、および第１外壁材１１の第３外壁材１３側の端部に通されて壁下地８にねじ込まれる。第２ねじ５２の頭部５３が、第３外壁材１３より屋外側に離れて位置する。第２カバー保持具６２は、屋内外方向に貫通した第２開口部６５と、第２方向Ｄ２の両側のそれぞれに形成された第２引掛部６４とを備える。第２カバー保持具６２は、第３外壁材１３の第１外壁材１１側の端部の屋外側に配される。第２カバー保持具６２の第２開口部６５に、第２ねじ５２の第３外壁材１３より屋外側に突出した軸部５４が通される。第２ねじ５２の頭部５３と壁下地８の間に、第２カバー保持具６２、第３外壁材１３、および前記第１外壁材１１が挟まれる。第２カバー７２は第１方向Ｄ１に延びた部材である。第２カバー７２は、第２カバー保持具６２の両側の第２引掛部６４に引っ掛けられることで、第２カバー保持具６２に保持される。第２カバー７２により第２カバー保持具６２および第２ねじ５２の頭部５３が覆われる。第１カバー７１と第２カバー７２のそれぞれの長手方向と直交する断面の形状は、同じである。第２カバー保持具６２は、第１カバー保持具６１と同大同形で、第２開口部６５に第２ねじ５２の軸部５４を通した状態でこの軸部５４を中心に回転可能である。
【００８４】
この特徴を有する外壁構造では、第１カバー７１により第１外壁材１１と第２外壁材１２の重なり部分を覆って、この重なり部分から雨水や風が屋内側に入り込むことが抑制される。また、第２外壁材１２を壁下地８に取り付けるときには、第１外壁材１１を通して壁下地８にねじ込まれた第１ねじ５１の軸部５４を第２外壁材１２の切欠１６に通すことで、第２外壁材１２を第１ねじ５１の軸部５４に対して位置決めすることができ、施工が容易になる。また、カバー保持具６は、第１外壁材１１および第２外壁材１２を壁下地８に取り付けるために用いられる第１ねじ５１を利用して容易に壁下地８側に固定できる。また、第１カバー７１によりカバー保持具６および第１ねじ５１の頭部５３が覆われるため、外観のよい外壁構造とすることができる。
【００８５】
また、第２カバー７２により第１外壁材１１と第３外壁材１３の重なり部分を覆って、この重なり部分から雨水や風が屋内側に入り込むことが抑制される。また、第１カバー保持具６１と第２カバー保持具６２を兼用でき、部材コストを削減できる。
【００８６】
また、本実施形態では、各外壁材１にねじ挿通孔１５が形成されている。このため、隣り合う外壁材１の互いのねじ挿通孔１５同士を重ねるだけで、外壁材１の位置決めができる。従って、煩わしい隅出し作業を省略することもできる。
【００８７】
なお、本実施形態では、第１外壁材１１と第２外壁材１２の並設方向（第１方向Ｄ１）が上下方向であり、第１外壁材１１と第３外壁材１３の並設方向（第２方向Ｄ２）が左右方向であるが、第１外壁材１１と第２外壁材１２の並設方向（第１方向Ｄ１）が左右方向であり、第１外壁材１１と第３外壁材１３の並設方向（第２方向Ｄ２）が上下方向であってもよい。すなわち、この場合は切欠１６が各外壁材１の左右方向の端部に設けられることとなる。
【００８８】
また、この他、本実施形態の外壁構造は、本発明の趣旨を逸脱しない範囲で適宜設計変更可能である。
【符号の説明】
【００８９】
Ｄ１  第１方向
Ｄ２  第２方向
１  外壁材
１１  第１外壁材
１２  第２外壁材
１６  切欠
５  ねじ
５１  第１ねじ
５２  第２ねじ
５３  頭部
５４  軸部
６  カバー保持具
６１  第１カバー保持具
６２  第２カバー保持具
６５  開口部（第１開口部、第２開口部）
７  カバー
７１  第１カバー
７２  第２カバー
７４  第１引掛部、第２引掛部
８  壁下地
８０  設置面（壁下地の屋外側の面）
【図１】
2016156160.tif 000003
【図２】
2016156160.tif 000004
【図３】
2016156160.tif 000005
【図４】
2016156160.tif 000006
【図５】
2016156160.tif 000007
【図６】
2016156160.tif 000008
【図７】
2016156160.tif 000009